(57)【特許請求の範囲】
【請求項１】
熱源のパイプヒータと、このパイプヒータの外周面を覆うとともに、該パイプヒータとの間に一定の隙間を形成する筒状のヒータキャップとを備えてなり、
上記ヒータキャップの下端側を先細に形成し、この先細部の先端に上記隙間に連通する吸込口が開設され、
上記ヒータキャップの外周面側に、上記隙間に連通する複数の貫通孔が形成されてなること
を特徴とするペン型ヒータ装置。
【請求項２】
上記吸込口の開口形状が長方形等の多角形、円形、または十字形であることを特徴とする請求項１に記載のペン型ヒータ装置。
【発明の詳細な説明】
【０００１】
【発明の属する技術分野】
本発明は、水その他の液体を目的の温度まで温めるとき等に用いられるペン型ヒータ装置に関し、特に、その安全性の向上を図るとともに、水等を効率よく早く沸かすことができるようにしたものである。
【０００２】
【従来の技術】
近年、海外旅行者が増加の傾向にあるが、海外のホテル事情は、日本国内のホテルや旅館等と異なり、設備やサービスが充実していないことも多く、個々の客室にお湯を保温しておくポット等がない場合もある。このため、海外旅行に出かけるときは、旅行用等として市販されている小型のポットを持っていくことが多い。
【０００３】
しかしながら、この種の市販のポットは、たとえ小型とはいえ、ポットである以上、旅行の荷物としてはかなり大型で嵩張り、持ち歩きに不便である。特に、保温機能に加え、湯沸し機能も追加されているポットの場合は、その機能追加の分だけさらに大型なものとなり、海外旅行者の荷物を嵩張らせる原因の一つとなっている。
【０００４】
【発明が解決しようとする課題】
本発明は上記問題点に鑑みてなされたもので、その目的とするところは、安全性に優れ、かつ水等の液体を効率よく早く沸かすことができるコンパクトなペン型ヒータ装置を提供することにある。
【０００５】
【課題を解決するための手段】
上記目的を達成するために、本発明は、熱源のパイプヒータと、このパイプヒータの外周面を覆うとともに、該パイプヒータとの間に一定の隙間を形成する筒状のヒータキャップとを備えてなり、上記ヒータキャップの下端側を先細に形成し、この先細部の先端に上記隙間に連通する吸込口が開設され、上記ヒータキャップの外周面側に、上記隙間に連通する複数の貫通孔が形成されてなることを特徴とするものである。
【０００７】
本発明は、上記吸込口の開口形状が長方形等の多角形、円形、または十字形であることを特徴とするものである。
【００１４】
本発明では、ヒータキャップがパイプヒータとの直接接触を防止する。またカップ内の水を沸かす場合、パイプヒータとヒータキャップの間で温められた水が上昇流となって貫通孔からヒータキャップ外へ出て行く効果と、その上昇流の吸い寄せ作用によりヒータキャップ外の水が吸込口からヒータキャップ内側に吸い込まれるという効果が生じ、カップ内全体の水の対流がよくなる。
【００１５】
【発明の実施の形態】
以下、本発明に係るペン型ヒータ装置の実施形態について図１乃至図７を基に詳細に説明する。
【００１６】
図１に示したペン型ヒータ装置Ｈは、その装置本体１が熱源のパイプヒータ２と筒状のヒータキャップ３等から構成されており、ヒータキャップ３は、パイプヒータ２の外周面全体を覆うとともに、そのパイプヒータ２外周面との間に一定の隙間４を形成するように構成されている。
【００１７】
また、ヒータキャップ３は、パイプヒータ２の洗浄性との関係から、装置本体１に着脱自在に取り付けられている。なお、ヒータキャップ３の取付構造については各種考えられるが、本実施形態では、装置本体１の上部１ａ側、すなわちパイプヒータ２の柄５の部分にヒータキャップ３を取り付ける構造、具体的には、該柄５の下部をリング状のボス部５ａとし、これにヒータキャップ３の上端３ａ側内周面が嵌合する構造を採用している。
【００１８】
ヒータキャップ３の下端３ｂ側には吸込口６が開設され、この吸込口６は上記ヒータキャップ３内側の隙間４に連通している。なお、吸込口６はヒータキャップ３の下端３ｂ全体を開口してなる形状とすることもできるが、本実施形態においては、パイプヒータ２の下端面にも直接触れることがないように取扱い上の安全性をさらに高めることや、後述の対流性向上との関係から、ヒータキャップ３の下端３ｂを先細に形成し、この先細部７の先端に吸込口６を設けている。また、吸込口６の開口形状についても各種考えられるが、本実施形態では、上述の安全性や対流性の向上等との関係から、吸込口６の開口形状を長方形としている。
【００１９】
ヒータキャップ３の外周面側には複数の貫通孔８、８…が形成されており、これらの貫通孔８、８…はすべて上記ヒータキャップ３内側の隙間４に連通している。
【００２０】
また、貫通孔８、８…はヒータキャップ３の上下端３ａ、３ｂ間の略中央部に集中的に配置されている。これはあらゆる深さのカップに対応できるようにしたものである。すなわち、本装置Ｈによりカップ内の水を温める場合は、装置本体１のパイプヒータ２側をカップ内に挿入するが、このとき、ヒータキャップ３外周面の貫通孔８、８…がいずれか１つでも水中に沈んでいれば、水中の貫通孔によりカップ内全体に水の対流を効果的に生じさせることができる。ここで、装置本体１のパイプヒータ２とヒータキャップ３の大部分が沈むような深いカップの場合について考えてみると、貫通孔８、８…はどの位置にあっても容易に水中に沈むことができる。しかし、比較的浅いカップの場合は、カップの縁を枕に装置本体１を寝かせてセットする。このため、貫通孔８、８…の位置がヒータキャップ３の上端３ａ側に寄り過ぎていると、貫通孔８、８が１つも水中に沈まないという事態が生じ得る。一方、貫通孔８が余りにヒータキャップ３の下端３ｂ側に寄りすぎていると、貫通孔８、８…と吸込口６の距離が近くなり過ぎてしまい、パイプヒータ２による水の加熱が不十分となる。そこで、本実施形態では、上記のように貫通孔８、８…をヒータキャップ３の上下端３ａ、３ｂ間の略中央部付近に設けるものとした。
【００２１】
装置本体１上部の柄５にはフック９がスライド自在に取り付けられており、また、そのフック９のスライド部位には、フックスライド量の目安として、スライド目盛り１０が刻設されている。
【００２２】
パイプヒータ２には温度センサ１１が取り付けられており、この温度センサ１１の検出温度値はヒータコントロール部１２へ送出される。
【００２３】
ヒータコントロール部１２は、パイプヒータ２の温度調節等を行う手段であって、熱源のパイプヒータ２とは分離して別体に設けられている。これは装置本体１の小型化を図るためと、パイプヒータ２の熱による電装部品への影響を少なくするために講じたものである。
【００２４】
ヒータコントロール部１２は、沸き上がり温度の調節機能、空焚きの防止機能および保温機能等の各種機能を有している。沸き上がり温度の調節機能に関しては、ヒータコントロール部１２に設置されている温度調節ツマミ１３の温度設定値と温度センサ１１の検出温度値との比較による温度制御等、制御対象となる現在の水温を設定値に近づける回路構成を採用することができる。また、空焚きの防止機能に関しては、温度センサ１１の検出温度値が予め設定された空焚き温度を越えようとする前に、パイプヒータ２への電力供給を自動的に遮断する等、空焚きをいち早く回避する回路構成を採用することができる。このほか、ヒータコントロール部１２には、沸き上がりを知らせるとき等に鳴るブザー１４、パイプヒータ２のＯＮ／ＯＦＦ作動スイッチ１５、装置が作動中であることを知らせるパイロットランプ１６等が設けられている。
【００２５】
また、本装置は、ヒータコントロール部１２とパイプヒータ２へ電力を供給する電源コード１７を有しているが、この電源コード１７は、装置取扱い上の便宜を図るため、ヒータコントロール部１２に取外し可能に接続されている。
【００２６】
次に、上記の如く構成されたペン型ヒータ装置Ｈの使用例と動作について図２を基に説明する。
【００２７】
本ペン型ヒータ装置Ｈは、たとえば旅行先のホテルやオートキャンプ場等のリクレーション施設で、お湯を沸かす手段として用いられる。
【００２８】
本装置Ｈによりお湯を沸かす場合は、水の入ったカップＣを用意し、このカップＣ内に装置本体１のパイプヒータ２側を挿入する。この際、装置本体１上部の柄５のフック９をカップＣの縁部に引っ掛ければ、装置本体１を安定に固定することができる。
【００２９】
次に、電源コード１７をコンセントに差し込み、かつヒータコントロール部１２のＯＮ／ＯＦＦ作動スイッチ１５をＯＮにすると、パイロットランプ１６が点灯し、パイプヒータ２が発熱する。
【００３０】
これにより、パイプヒータ２とヒータキャップ３の間で水が温められる。そして、この温水は、上昇流となってヒータキャップ３外周面の貫通孔８、８…からヒータキャップ３外へ出て行く。これと同時に、その上昇流による水の吸い寄せ作用により、ヒータキャップ３外の水が吸込口６からヒータキャップ３内に吸い込まれる。この吸い込まれた水は、再びさらに温められて上昇し貫通孔８、８…からヒータキャップ３外へ出て行く。このようにしてカップＣ内全体の水がよく対流し加熱される。そして、カップＣ内の水の温度が温度調節ツマミ１３の温度設定値に達すると、ブザー１４が鳴り、カップＣ内の水が目的の温度に温められて、ＯＮ／ＯＦＦ作動スイッチ１５が自動的にＯＦＦとなる。
【００３１】
以上のように、本実施形態のペン型ヒータ装置Ｈにあっては、パイプヒータ２がヒータキャップ３により覆われる構造であるため、パイプヒータ２に直接触れることがなく、取扱いの安全性に優れる。また、空焚き時等の場合、パイプヒータ２とヒータキャップ３の間に一定の隙間４の空気層が形成されるので、ヒータキャップ３の温度を比較的低く保つことができ、この点においても取扱いの安全性に優れる。
【００３２】
さらに、本実施形態のペン型ヒータ装置Ｈによると、ヒータキャップ３の下端側に吸込口６を開設し、かつヒータキャップ３の外周面側に複数の貫通孔８、８…を形成したものである。このため、本装置ＨによりカップＣ内の水を沸かす場合、パイプヒータ２とヒータキャップ３の間で温められた水が上昇流となって貫通孔８、８…からヒータキャップ３外へ出て行く効果と、その上昇流の吸い寄せ作用によりヒータキャップ３外の水が吸込口６からヒータキャップ３内側に吸い込まれるという効果が生じ、カップＣ内全体の水の対流がよくなることから、水を効率よく早く沸かすことができる。
【００３３】
なお、吸込口６の開口形状については、水等の液体を吸い込み易い形状であればよく、長方形以外の多角形や、図３に示すような円形、または図４に示すような十字形の開口形状を採用することもできる。
【００３４】
図５および図６は本発明の他の実施形態を示したものであり、図５の実施形態は、ヒータキャップ３の下端側に複数の突起１８、１８…を形成し、この突起１８、１８…間の間隙部１９を吸込口６として設けたもの、図６の実施形態は、ヒータキャップ３の下端側に底板２０を設け、この底板２０とヒータキャップ３の下端３ｂとの間に吸込口６を開設したものであり、その余の構成は上記実施形態と同様である。特に、図６の実施形態の場合、吸入口６は底板２０の真上のヒータキャップ３外周面に横に設けられ、ヒータキャップ３の底部は底板２０で完全に塞がれるので、ヒータキャップ３の底部に指の入る余地がなく、パイプヒータ２の下端との直接接触を完全に防止することができる。
【００３５】
また、上記実施形態は、ヒータコントロール部１２とパイプヒータ２を分離して設けたセパレートタイプの例であるが、ヒータコントロール部１２はパイプヒータ２と一体的に設けることもでき、この一体構造を採用する場合は、図７に示すように、装置本体１の上部１ａに、図１に示したヒータコントロール部１２の機能部、すなわち、温度調節ツマミ１３、ＯＮ／ＯＦＦ作動スイッチ１４、パイロットランプ１５、並びに、空焚きの防止機能回路や沸き上がり温度制御回路の回路（図示省略）を内装追加するものとする。
【００３６】
なお、本発明に係るペン型ヒータ装置は、お湯を作る場合のほか、熱燗を作る場合にも利用でき、水以外の各種液体を温める場合に使用可能である。
【００３７】
【発明の効果】
本発明に係るペン型ヒータ装置にあっては、上記の如く、パイプヒータがヒータキャップにより覆われる構造であるため、パイプヒータに直接触れることがなく、取扱いの安全性に優れる。
【００３８】
また、本発明に係るペン型ヒータ装置によると、ヒータキャップの下端側に吸込口を開設し、かつヒータキャップの外周面側に複数の貫通孔を形成したものである。このため、カップ内の水を沸かす場合、パイプヒータとヒータキャップの間で温められた水が上昇流となって貫通孔からヒータキャップ外へ出て行く効果と、その上昇流の吸い寄せ作用によりヒータキャップ外の水が吸込口からヒータキャップ内側に吸い込まれるという効果が生じ、カップ内全体の水の対流がよくなることから、水を効率よく早く沸かすことができる。
【図面の簡単な説明】
【図１】図１は本発明に係るペン型ヒータ装置の一実施形態の説明図であって、同図（ａ）はペン型ヒータ装置の正面図、（ｂ）は（ａ）のＡ−Ａ線断面図、（ｃ）は（ａ）のＢ矢視図。
【図２】図１に示したペン型ヒータ装置の使用例の説明図。
【図３】図３は本発明の他の実施形態の説明図であって、同図（ａ）はヒータキャップ下端側の正面図、（ｂ）は（ａ）のＢ矢視図。
【図４】図４は本発明の他の実施形態の説明図であって、同図（ａ）はヒータキャップ下端側の正面図、（ｂ）は（ａ）のＢ矢視図。
【図５】図５は本発明の他の実施形態の説明図であって、同図（ａ）はヒータキャップ下端側の正面図、（ｂ）は（ａ）のＢ矢視図。
【図６】図６は本発明の他の実施形態の説明図であって、同図（ａ）はヒータキャップ下端側の正面図、（ｂ）は（ａ）のＢ矢視図。
【図７】本発明の他の実施形態の説明図。
【符号の説明】
１  装置本体
２  パイプヒータ
３  ヒータキャップ
４  隙間
５  柄
５ａ  ボス部
６  吸込口
７  先細部
８  貫通孔
９  フック
１０  スライド目盛り
１１  温度センサ
１２  ヒータコントロール部
１３  温度調節ツマミ
１４  ブザー
１５  ＯＮ／ＯＦＦ作動スイッチ
１６  パイロットランプ
１７  電源コード
１８  突起
１９  間隙部
２０  底板
Ｈ  ペン型ヒータ装置
Ｃ  カップ
【図１】
0003602400.tif 000002
【図２】
0003602400.tif 000003
【図３】
0003602400.tif 000004
【図４】
0003602400.tif 000005
【図５】
0003602400.tif 000006
【図６】
0003602400.tif 000007
【図７】
0003602400.tif 000008